(57)【要約】【課題】本発明は、光源からの光の利用効率が高く、かつ液晶ディスプレイ周辺が明るいときにも暗いときにも視認性の高い液晶ディスプレイを提供することを目的とする。【解決手段】上記課題を解決するために、本発明に係る液晶ディスプレイは、液晶パネル前面からの光を液晶パネル前面へ反射する反射モード及び液晶パネル背面からの光を液晶パネル前面へ透過する透過モードを有し、該反射モードと該透過モードとが切替え可能となっている。また当該液晶ディスプレイは、光の透過率を可変する液晶パネルと、液晶パネル前面からの光を液晶パネル前面へ反射する反射板とが備わっており、該反射板が移動及び又は回転して該反射モードと透過モードとを切替える。【選択図】図４
2005250063.tif 000002
【特許請求の範囲】
【請求項１】
光を透過する開口部及び光を透過しない非開口部が交互に配置された液晶パネルと、
隣り合う開口部及び非開口部の間を移動並びに又は開口部で回転することによって光の透過／非透過を制御するミラーが該液晶パネルの背面に配置された反射板と、が備わった液晶ディスプレイであって、
該反射板は液晶パネル前面からの光を液晶パネル前面へ反射する反射モード及び液晶パネル背面からの光を液晶パネル前面へ透過する透過モードを有することを特徴とする液晶ディスプレイ。
【請求項２】
前記反射板は少なくとも一部の前記ミラーが互いに連結されており、該反射板は該ミラーが前記隣り合う開口部及び非開口部の間を平行移動することにより前記反射モードと前記透過モードとを切替えることを特徴とする請求項１に記載の液晶ディスプレイ。
【請求項３】
前記反射板は互いに独立した前記ミラーが静電誘導によって前記隣り合う開口部及び非開口部の間を平行移動することにより前記反射モードと前記透過モードとを切替えることを特徴とする請求項１に記載の液晶ディスプレイ。
【請求項４】
前記反射板は少なくとも一部の前記ミラーが互いに連結されており、該反射板は該ミラーが前記開口部で回転することにより前記反射モードと前記透過モードとを切替えることを特徴とする請求項１に記載の液晶ディスプレイ。
【請求項５】
前記反射板は互いに独立した前記ミラーが静電誘導によって前記開口部で回転することにより前記反射モードと前記透過モードとを切替えることを特徴とする請求項１に記載の液晶ディスプレイ。
【請求項６】
前記液晶パネル周辺での明るさを検知する光センサーを、さらに備え、
前記反射板は、光センサーの検知する光量が大きいときには前記反射モードに、該光量が小さいときには前記透過モードに切替えることを特徴とする請求項１から５に記載のいずれかの液晶ディスプレイ。
【請求項７】
前記液晶パネル前面での明るさを検知する第一の光センサーと、
前記反射板の背面での明るさを検知する第二の光センサーと、をさらに備え、
前記反射板は、該第一の光センサーの検知する光量に対する第二の光センサーの検知する光量の比が所定値よりも小さいときには前記反射モードに、該第一の光センサーの検知する光量に対する第二の光センサーの検知する光量の比が所定値のよりも大きいときには前記透過モードに切替えることを特徴とする請求項１から５に記載のいずれかの液晶ディスプレイ。
【発明の詳細な説明】
【技術分野】
【０００１】
本発明は、透過モードと反射モードとを切替え可能な液晶ディスプレイに関するものである。
【背景技術】
【０００２】
液晶ディスプレイは軽量で消費電力が少ないことから携帯電話及び電子手帳などの携帯端末さらにカーナビゲーションシステムなどで広く使用されている。液晶ディスプレイには液晶パネルの表面から入射して液晶パネル背面で反射させた光を液晶パネルに透過させて表示する反射型液晶ディスプレイ及びディスプレイに備えたバックライトからの光を液晶パネルに透過させて表示する透過型液晶ディスプレイの２種がある。反射型液晶ディスプレイは、光源に外光を利用して液晶パネルの表面で反応した光を視認するので目が疲れ難く視認性が高い。しかし、液晶ディスプレイ周辺が暗いときには反射型液晶ディスプレイの視認性が低下するという問題があった。一方、透過型液晶ディスプレイは、液晶ディスプレイ周辺が暗いときでも視認できるが、逆に液晶ディスプレイ周辺が明るいときには液晶パネルの表面で外光が散乱するため視認性が低下するという問題があった。
【０００３】
上記問題を解決するために、反射型液晶ディスプレイ及び透過型液晶ディスプレイの特徴を同時に備えた半透過型液晶ディスプレイが提案されている。半透過型液晶ディスプレイは、透過型液晶ディスプレイで液晶パネルにバックライトからの光を導く開口部の一部を含む液晶パネル背面の一部に反射板を設け、液晶ディスプレイに備わったバックライトからの光及び外光を光源として利用する。液晶ディスプレイに備わったバックライトからの光を利用し、同時に周辺の光を光源として利用することができる。しかし、液晶パネルの表面から入射して液晶パネル背面で反射させる反射板を配置するために、液晶ディスプレイに備わったバックライトからの光を液晶パネルに導く開口部の一部を反射板が遮蔽する。このため透過型液晶ディスプレイと比較して液晶ディスプレイに備わったバックライトの光の利用効率は低かった。
【０００４】
液晶ディスプレイに備わったバックライトの光の利用効率を向上した半透過型液晶ディスプレイが提案されている（例えば、特許文献１参照。）。この半透過型液晶ディスプレイは、液晶ディスプレイに備わったバックライトからの光を導く開口部の構造を工夫してバックライトからの光の利用効率を向上させている。しかし、バックライトからの光を表示面に導く開口部の面積は依然小さいので、液晶ディスプレイに備わったバックライトからの光の利用効率は透過型液晶ディスプレイと比較して低かった。
【特許文献１】特開２００３−２４１１８８号公報。
【発明の開示】
【発明が解決しようとする課題】
【０００５】
本発明は、光源からの光の利用効率が高く、かつ液晶ディスプレイ周辺が明るいときにも暗いときにも視認性の高い液晶ディスプレイを提供することを目的とする。
【課題を解決するための手段】
【０００６】
上記課題を解決するために、本発明に係る液晶ディスプレイは、液晶パネル前面からの光を液晶パネル前面へ反射する反射モード及び液晶パネル背面からの光を液晶パネル前面へ透過する透過モードを有し、該反射モードと該透過モードとが切替え可能となっている。また当該液晶ディスプレイは、光の透過率を可変する液晶パネルと、液晶パネル前面からの光を液晶パネル前面へ反射する反射板とが備わっており、該反射板が移動及び又は回転して該反射モードと透過モードとを切替える。
【０００７】
前記反射板が移動及び又は回転することにより、反射モードのときには外光を、透過モードのときには液晶ディスプレイに備わったバックライトからの光を、効率よく液晶パネルの視認に利用することができる。液晶ディスプレイ周辺が明るいときには、前記反射板を反射モードとすれば、液晶ディスプレイ周辺の外光を効率よく液晶パネル背面の反射板で反射することが可能な反射型液晶ディスプレイとして表示する。一方、液晶ディスプレイ周辺が暗いときには、前記反射板を透過モードとすれば、液晶ディスプレイに備わったバックライトからの光を効率よく液晶パネルに入射することが可能な透過型液晶ディスプレイとして表示する。したがって、光源からの光の利用効率が高く、かつ液晶ディスプレイ周辺が暗いときにも明るいときにも視認性の高い液晶ディスプレイの提供が可能になる。
【０００８】
具体的には、光を透過する開口部及び光を透過しない非開口部が交互に配置された液晶パネルと、隣り合う開口部及び非開口部の間を移動並びに又は開口部で回転することによって光の透過／非透過を制御するミラーが該液晶パネルの背面に配置された反射板と、が備わった液晶ディスプレイであって、該反射板は液晶パネル前面からの光を液晶パネル前面へ反射する反射モード及び液晶パネル背面からの光を液晶パネル前面へ透過する透過モードを有することを特徴とする。
【０００９】
反射モードではミラーを開口部の背面へ設置して液晶パネルの前面からの光を液晶パネル前面へ反射し、透過モードでは平行移動によってミラーを非開口部の背面へ配置してバックライトからの光を液晶パネルへ透過する。したがって、液晶ディスプレイ周辺が暗いときには透過モードで表示し、液晶ディスプレイ周辺が明るいときには反射モードで表示することにより、光源からの光の利用効率が高く、かつ液晶ディスプレイ周辺が暗いときにも明るいときにも視認性の高い液晶ディスプレイの提供が可能になる。
【００１０】
前記反射板は少なくとも一部の前記ミラーが互いに連結されており、該反射板は該ミラーが前記隣り合う開口部及び非開口部の間を平行移動することにより前記反射モードと前記透過モードとを切替えることが好ましい。
【００１１】
複数のミラーを互いに連結し、連結したミラーを隣り合う開口部及び非開口部の間で平行移動することにより、反射板は反射モードと透過モードとを切替える。複数のミラーが互いに連結されていることにより、各ミラーを平行移動させるための駆動機構を少なくすることができる。これにより、駆動機構の少ない構成で、液晶ディスプレイ周辺が暗いときには透過モードで表示し、液晶ディスプレイ周辺が明るいときには反射モードで表示することができる。したがって、簡易な構成で実現を可能とする、光源からの光の利用効率が高く、かつ液晶ディスプレイ周辺が暗いときにも明るいときにも視認性の高い液晶ディスプレイの提供が可能になる。
【００１２】
前記反射板は互いに独立した前記ミラーが静電誘導によって前記隣り合う開口部及び非開口部の間を平行移動することにより前記反射モードと前記透過モードとを切替えることが好ましい。
【００１３】
互いに独立したミラーを静電誘導によって前記隣り合う開口部及び非開口部の間を平行移動させることにより、反射板は反射モードと透過モードとを切替える。ミラーを互いに独立させることで、ミラーを軽くし、消費電力の少ない静電誘導によってミラーを移動させることができる。これにより、少ない消費電力で、液晶ディスプレイ周辺が暗いときには透過モードで表示し、液晶ディスプレイ周辺が明るいときには反射モードで表示することができる。したがって、少ない消費電力で実現を可能とする、光源からの光の利用効率が高く、かつ液晶ディスプレイ周辺が暗いときにも明るいときにも視認性の高い液晶ディスプレイの提供が可能になる。
【００１４】
前記反射板は少なくとも一部の前記ミラーが互いに連結されており、該反射板は該ミラーが前記開口部で回転することにより前記反射モードと前記透過モードとを切替えることが好ましい。
【００１５】
複数のミラーを互いに連結し、連結したミラーを開口部で回転することにより、反射板は反射モードと透過モードとを切替える。複数のミラーが互いに連結されていることにより、各ミラーを回転するための駆動機構を少なくすることができる。したがって、簡易な構成で実現を可能とする、光源からの光の利用効率が高く、かつ液晶ディスプレイ周辺が暗いときにも明るいときにも視認性の高い液晶ディスプレイの提供が可能になる。
【００１６】
前記反射板は互いに独立した前記ミラーが静電誘導によって前記開口部で回転することにより前記反射モードと前記透過モードとを切替えることが好ましい。
【００１７】
互いに独立したミラーを静電誘導を用いて回転することにより、反射板は反射モードと透過モードとを切替える。ミラーを互いに独立させることで、ミラーを軽くし、消費電力の少ない静電誘導によってミラーを回転することができる。これにより、少ない消費電力で、液晶ディスプレイ周辺が暗いときには透過モードで表示し、液晶ディスプレイ周辺が明るいときには反射モードで表示することができる。したがって、少ない消費電力で実現を可能とする、光源からの光の利用効率が高く、かつ液晶ディスプレイ周辺が暗いときにも明るいときにも視認性の高い液晶ディスプレイの提供が可能になる。
【００１８】
本発明に係る他の液晶ディスプレイは、前記液晶パネル周辺での明るさを検知する光センサーをさらに備え、前記反射板は、該光センサーの検知する光量が大きいときには前記反射モードに、該光量が小さいときには前記透過モードに切替えてもよい。
【００１９】
光センサーを備えることにより、液晶ディスプレイ周辺の明るさに応じて自動で透過モードと反射モードとを切り替え、液晶ディスプレイの視認性を高くすることができる。したがって、光源からの光の利用効率が高く、かつ液晶ディスプレイ周辺が暗いときにも明るいときにも視認性の高い液晶ディスプレイの提供が可能になる。
【００２０】
本発明に係る他の液晶ディスプレイは、前記液晶パネル前面での明るさを検知する第一の光センサーと、前記反射板の背面での明るさを検知する第二の光センサーと、をさらに備え、前記反射板は、該第一の光センサーの検知する光量に対する第二の光センサーの検知する光量の比が所定値よりも小さいときには前記反射モードに、該第二の光センサーの検知する光量に対する第一の光センサーの検知する光量の比が所定値のよりも大きいときには前記透過モードに切替えてもよい。
【００２１】
第一の光センサーと第二のセンサーとを備えることにより、外光の明るさとバックライトが発光する明るさとを比較して、液晶ディスプレイ周辺の明るさに応じて自動で透過モードと反射モードとを切り替え、液晶ディスプレイの視認性を高くすることができる。したがって、光源からの光の利用効率が高く、かつ液晶ディスプレイ周辺が暗いときにも明るいときにも視認性の高い液晶ディスプレイの提供が可能になる。
【発明の効果】
【００２２】
本発明の液晶ディスプレイは、反射モードのときには外光を、透過モードのときには液晶ディスプレイに備わったバックライトからの光を、効率よく液晶パネルに入射させることができる。したがって、光源からの光の利用効率が高く、かつ液晶ディスプレイ周辺が暗いときにも明るいときにも視認性の高い液晶ディスプレイの提供が可能になる。
【発明を実施するための最良の形態】
【００２３】
以下、本発明に係る実施の形態について、図面を参照して説明する。
本発明に係る液晶ディスプレイの実施例を図１に示す。図１は液晶ディスプレイ９１の構成を説明する図である。１１は液晶パネルであり、２１は反射板であり、３１はバックライト、６１はガラス、６２はカラーフィルタ、６３は透明電極、６４は配光膜、６５は液晶、６６はスペーサである。
【００２４】
液晶パネル１１は、２枚のガラス６１、透明電極６３及び配光膜６４と、カラーフィルタ６２と、液晶６５と、スペーサ６６とを備える。液晶６５及びスペーサ６６が２枚の配光膜６４の間に配置される。配光膜６４は透明電極６３の間に配置される。透明電極６３の前面側にカラーフィルタ６２が配置される。カラーフィルタ６２が配置された透明電極６３等は、ガラス６１の間に配置される。反射板２１は、液晶パネル１１の背面に対峙して配置される。バックライト３１は、液晶パネル１１の背面に反射板２１と対峙して配置される。
【００２５】
液晶パネル１１は、光を透過する開口部及び光を透過しない非開口部が交互に配置されたものである。液晶パネル１１は、透明電極、配光膜、液晶等がガラスに挟まれた従来のものでよい。開口部に備わる液晶を用いて光の透過率を可変することのできるものでもよい。開口部は、液晶パネルの画面上に行列状に配列され、液晶パネルの画面上の該開口部の周囲が非開口部となる。
【００２６】
反射板２１は、隣り合う開口部及び非開口部の間を移動並びに又は開口部で回転することによって光の透過／非透過を制御する。反射モードのとき、液晶パネルの前面からの光を液晶パネル前面へ反射する。反射板２１は、移動又は回転可能な複数のミラーを備える。反射板２１は、移動及び回転が可能であってもよい。反射板２１は、透過モードのとき、液晶ディスプレイに備わったバックライトから入射した光を液晶パネルに導く導光部を形成する。
【００２７】
バックライト３１は、透過モードのとき、液晶パネル１１の背面から液晶パネル１１へ光源を供給する。バックライト３１は冷陰極管及び導光板が備わった従来のものでよい。バックライト３１からの光は、液晶ディスプレイの背面に入射する外光を用いても良い。
【００２８】
液晶ディスプレイ９１の動作について図２を用いて説明する。図２は光源からの光が反射又は透過により液晶パネル１１の前面から放射される様子を説明する図である。液晶パネルの模式図の左半分に示したのが、反射モードのとき光の様子を説明した図である。１は液晶パネル前面に入射する外光である。２は外光１が反射板２１によって反射された反射光である。
【００２９】
外光１が液晶パネル１１に入射する。液晶パネル１１に入射した外光１は液晶パネル１１を透過して反射板２１に入射する。反射板２１に入射した外光１は反射板２１に備わったミラーによって反射され、液晶パネル１１へ反射光２を反射する。液晶パネル１１に入射した反射光２は液晶パネルを透過して、液晶パネル１１の前面へ出射される。
【００３０】
液晶パネル１１は映像信号により絵素ごとに透過率を可変し、該絵素を透過した反射光２が液晶パネル１１の前面から出射した光により映像を表示することができる。これにより、液晶ディスプレイ周辺が明るいときには、反射板２１を反射モードとすることにより、液晶ディスプレイ周辺の外光を反射板２１で反射して反射型液晶ディスプレイとして表示することができる。
【００３１】
透過モードのときの液晶ディスプレイ９１の動作について図２を用いて説明する。液晶パネルの模式図の右半分に示したのが、透過モードのとき光の様子を説明した図である。３はバックライトから出射されるバックライト光である。
【００３２】
バックライト３１はバックライト光３を出射する。バックライト光３は反射板２１に入射する。反射板２１は透過モードとなっており、バックライト光３が液晶パネル１１に入射する導光部が形成されている。反射板２１に入射したバックライト光３は反射板２１に備わった導光部から液晶パネル１１へ透過する。液晶パネル１１に入射したバックライト光３は液晶パネル１１を透過して、液晶パネルの前面へ出射される。液晶パネル１１は映像信号により絵素ごとに透過率が可変であり、液晶パネル１１を透過して液晶パネル１１から出射されたバックライト光３により映像を表示することができる。
【００３３】
なお、１の液晶ディスプレイに備わる反射板の数はいくつでもよい。複数の反射板を備えることで、外光１及びバックライト光３の利用効率を向上することも可能になる。
【００３４】
以上説明したように、前記反射板は反射モードと透過モードとを切替えることにより、反射型液晶ディスプレイ又は透過型液晶ディスプレイとして表示することができる。液晶ディスプレイ周辺が明るいときには反射モードで表示し、液晶ディスプレイ周辺が暗いときには透過モードで表示することにより、光源からの光の利用効率が高く、かつ液晶ディスプレイ周辺が明るいときにも暗いときにも視認性の高い液晶ディスプレイの提供が可能になる。
【００３５】
図１で説明した反射板２１は少なくとも一部のミラーが互いに連結されており、該反射板は該ミラーが前記隣り合う開口部及び非開口部の間を平行移動することにより前記反射モードと前記透過モードとを切替えることが好ましい。
【００３６】
本実施形態の反射板２２の一例を図３に示す。図３は反射板２２を液晶パネルの前面から見たときの構成を説明する図である。図３において、５１はミラーであり、５２は基板である。基板５２の片面に長方形のミラー５１が縦横に４×４個等間隔で配置されている。
【００３７】
基板５２はミラー５１を配置する基板である。基板５２は、透過モードのときは、バックライト光を透過する導光部となる。基板５２は、光を透過するものであることが好ましい。基板５２は、基板厚の薄い、透光性の高いものが好ましい。基板５２に使用できる材質に、例えばプラスチックやガラスがある。
【００３８】
ミラー５１は光を反射するものである。例えば基板５２にアルミニウムなどの金属を蒸着して鏡面を形成したものでもよい。例えばアルミニウムなどの反射特性を有するものを基板に塗布又は接着したものでもよい。ミラー５１の形状は、液晶パネル１１に備わる開口部の形状と同じ形状であってもよい。さらにミラー５１の面積は液晶パネル１１に備わる開口部の面積と同等であってもよい。電極などの液晶パネル１１の一部に影響がある場合は、該開口部とは異なる形状にしてもよいし、開口部よりも小さな面積にしてもよい。
【００３９】
本反射板を備えた液晶ディスプレイの動作について図４を用いて説明する。図４は図３に示した反射板２２を備える液晶ディスプレイの断面構造を説明する図である。図中に示された液晶パネル１１とバックライト３１は図１と同様のものでよい。１２は液晶パネル１１に備わる開口部であり、１３は液晶パネル１１に備わる非開口部である。開口部１２及び非開口部１３は幅が等しく、交互に配列されている。２２は図３で説明した反射板２２であり、５１はミラーを、５２は基板を示す。反射板２２は、液晶パネル１１の背面にミラー５１の配置された面を液晶パネル１１に向けて配置されている。
【００４０】
図４（ａ）は反射モードでの本液晶ディスプレイの断面の一部である。反射モードでは、ミラー５１は開口部１２の背面に反射面を液晶パネル１１に向けて配置される。反射モードでは液晶パネル１１の前面から液晶パネル１１に入射する外光を光源として用いる。液晶パネル１１の前面から液晶パネルに入射する外光は、開口部１２から液晶パネルの背面へ透過される。液晶パネル１１の背面へ透過した外光はミラー５１で反射される。ミラー５１で反射された外光は開口部１２を透過して液晶パネル１１の前面から出射される。液晶パネル１１は、前述の図２で説明したように、液晶パネル１１の前面から出射された光によって映像を表示することができる。
【００４１】
図４（ｂ）は透過モードでの本液晶ディスプレイの断面の一部である。透過モードでは、ミラー５１は非開口部１３の背面にミラー５１の反射面を液晶パネル１１に向けて配置される。透過モードでは液晶ディスプレイに備わったバックライト３１を光源として用いる。バックライト３１は反射板２２の背面全体へバックライト光を供給する。反射板２２の背面全体へ供給されたバックライト光は反射板２２の基板５２へ入射する。基板５２へ入射したバックライト光は基板５２を透過して開口部１２へ入射する。開口部１２へ入射したバックライト光は開口部１２を透過して液晶パネル１１の前面へ出射される。液晶パネル１１は、前述の図２で説明したように、液晶パネル１１の前面から出射される光によって映像を表示することができる。
【００４２】
反射モードと透過モードとの切替えは、反射板２２を隣り合う開口部及び非開口部の間を平行移動させて行えばよい。平行移動させる方法は、例えば基板５２の移動方向に相対する両辺の一部に導電体を配置して、電磁石により基板５２を平行移動させて行えばよい。また、基板５２と直接つながったレバーを設置して、レバーを移動させることにより反射板２２を移動させてもよい。上記モードの切替えは、手動で行っても良いし、自動で行っても良い。
【００４３】
このように、反射板２２に備わるミラーを、反射モードにおいて開口部の背面に配置し、透過モードにおいては非開口部の背面へ配置する。このため反射板２２は、反射モードにおいては液晶パネルの前面からの光を効率よく反射し、透過モードにおいては液晶パネル背面からの光を効率よく液晶パネルへ透過させることができる。
【００４４】
なお、１の基板に配置されるミラーの数はいくつでもよい。１の反射板に備わる基板の数はいくつでもよい。図４では開口部１２及び非開口部１３は等しい幅で配置されているが、等しい幅でなくてもよい。例えば非開口部１３に比べて開口部１２が大きいときは、反射板２２を多層にすることにより、透過モードにおいて導光部の面積を大きくすることができる。図５に反射板２２を２層配置したときの液晶ディスプレイの断面構造を示す。反射板２２を多層にすることにより、図５に示したように、非開口部に対して開口部が大きくなっても透過モードにおいてミラーを非開口部の背面へ移動させることができる。これによりバックライト光からの光の利用効率を向上することができる。
【００４５】
以上説明したように、複数のミラーを互いに連結し、連結したミラーを隣り合う開口部及び非開口部の間で平行移動することにより、反射板は反射モードと透過モードとを切替える。複数のミラーが互いに連結されていることにより、各ミラーを平行移動させるための駆動機構を少なくすることができる。これにより、駆動機構の少ない構成で、液晶ディスプレイ周辺が暗いときには透過モードで表示し、液晶ディスプレイ周辺が明るいときには反射モードで表示することができる。したがって、簡易な構成で実現を可能とする、光源からの光の利用効率が高く、かつ液晶ディスプレイ周辺が暗いときにも明るいときにも視認性の高い液晶ディスプレイの提供が可能になる。
【００４６】
図１で説明した反射板２１は互いに独立した前記ミラーが静電誘導によって前記隣り合う開口部及び非開口部の間を平行移動することにより前記反射モードと前記透過モードとを切替えることが好ましい。
【００４７】
本実施形態の反射板２３の一例を図６に示す。図６は反射板２３を液晶パネルの前面から見たときの構成を説明する図である。５１はミラー、５４は電極、５６はミラーを格納するセルである。反射板２３は、４×４個に区切られた空間であるセル５６のそれぞれの中にミラー５１が固定されずに配置された構成となっている。電極５４は、反射板２３の相対する２辺、すなわちＬ方向とＲ方向との両端に配置されている。
【００４８】
セル５６は、ミラー５１を格納するものである。セル５６は、隣り合う非開口部１３及び開口部１２につき１つ備わる。セル５６の内部に格納されたミラー５１は、セル５６の内部で平行移動することができる。セル５６に格納されるミラー５１はいくつでもよい。セル５６は、プラスチックやガラスなどの光を透過する透明な材質であることが好ましい。基板厚の薄い、透光性の高いものでもよい。
【００４９】
ミラー５１の備わるセル５６は、例えば図７に示したものでもよい。図７は、反射板２３を横から見た時の構成を説明する図である。セル５６は基板５２と隔壁５７とから構成される。基板５２の上に隔壁５７となる部材が重ねられる。隔壁５７の部材をエッチングして、長方形の空洞を４×４個形成する。隔壁５７で囲まれた空洞内にミラー５１を固定せずに配置する。その上へ基板５２を重ねる。このようにして、ミラー５１がセル５６の内部を平行移動可能な反射板２３が可能になる。
【００５０】
ミラー５１は光を反射することのできるものである。例えば、ガラス基板にアルミニウムなどの金属を蒸着して鏡面を形成したものでもよい。例えばアルミニウムなどの微小な金属板であってもよい。ミラー５１の形状は、液晶パネル１１に備わる開口部の形状と同じ形状であってもよい。ミラー５１の面積は液晶パネル１１に備わる開口部の面積と同じであってもよい。電極などの液晶パネル１１の一部に影響がある場合は、開口部と異なる形状にしてもよいし、開口部よりも小さな面積にしてもよい。反射板２３でのミラー５１ではさらに、相対する２辺に導電体が配置される。
【００５１】
本反射板を備えた液晶ディスプレイの動作は前述の図４で説明したものとほぼ同様である。異なるところは、反射モードと透過モードとの切替え方法である。反射板２３では、セル５６の内部を平行移動可能なミラー５１のＲ側及びＬ側に導電体が配置され、さらに反射板２３のＲ側及びＬ側に電極５４が配置されることである。反射板２３のＲ側の電極５４を通電させたとき、ミラー５１はそれぞれ静電誘導によりＲ側に平行移動する。一方反射板２３のＬ側の電極５４を通電させたとき、ミラー５１はそれぞれ静電誘導によりＬ側へ平行移動する。ミラー５１は方向Ｒへの平行移動により開口部の背面へ配置され、方向Ｌへの平行移動により非開口部の背面へ配置される。これにより、反射板２３は、Ｒ側の電極を通電させることによって反射モードへ切替え、Ｌ側の電極を通電させすることにより透過モードへ切り替えることができる。上記モードの切替えは、手動で行っても良いし、自動で行っても良い。
【００５２】
このように、反射板２３に備わるミラー５１を、反射モードにおいては開口部の背面に配置し、透過モードにおいては非開口部の背面へ配置する。このため反射板２３は、反射モードにおいては液晶パネルの前面からの光を効率よく反射し、透過モードにおいては液晶パネル背面からの光を効率よく液晶パネルへ透過させることができる。
【００５３】
なお、図６では開口部１２及び非開口部１３が、Ｌ及びＲの方向へはほぼ等幅で配置されているが、等幅でなくてもよい。例えば非開口部１３に比べて開口部１２が大きいときは、反射板２３を多層にすることにより透過モードにおいて導光部の面積を大きくすることができる。前述の図５で説明したように、反射板２３を多層にすることにより、ミラーの反射面の合計の面積が大きくなっても透過モードにおいてミラーを非開口部の背面へ移動させることができる。これによりバックライト光からの光の利用効率を向上することができる。
【００５４】
以上説明したように、互いに独立したミラーを静電誘導によって隣り合う開口部及び非開口部の間を平行移動させることにより、反射板は反射モードと透過モードとを切替える。ミラーを互いに独立させることで、ミラーを軽くし、消費電力の少ない静電誘導によってミラーを移動させることができる。これにより、少ない消費電力で、液晶ディスプレイ周辺が暗いときには透過モードで表示し、液晶ディスプレイ周辺が明るいときには反射モードで表示することができる。したがって、少ない消費電力で実現を可能とする、光源からの光の利用効率が高く、かつ液晶ディスプレイ周辺が暗いときにも明るいときにも視認性の高い液晶ディスプレイの提供が可能になる。
【００５５】
図１で説明した反射板２１は、該ミラーが磁力によって隣り合う開口部及び非開口部の間を平行移動することにより前記反射モードと前記透過モードとを切替えてもよい。すなわち、ミラー５１のそれぞれに、Ｒ側にある一辺にＮ極、Ｌ側にある一辺にＳ極の磁性をもたせ、反射板２３のＲ側に電極５４の代わりに電磁石を備えてもよい。
【００５６】
このような構成にすることで、電磁石がＮの磁性を有するときは磁力により反発してＬ方向にミラーが移動する。一方、電磁石がＳ極を有するときは、引き合ってＲ側にミラーが移動する。以上、磁力でミラーを平行移動させることにより、反射板２３の一辺に電磁石を備えれば透過モードと反射モードとを切り替えることができるようになる。
【００５７】
図１で説明した反射板２１は少なくとも一部の前記ミラーが互いに連結されており、該反射板は該ミラーが前記開口部で回転することにより前記反射モードと前記透過モードとを切替えることが好ましい。
【００５８】
本実施形態の液晶ディスプレイの一例を図８に示す。図８は図１に示した反射板２１に代えて、少なくとも一部の前記ミラーが互いに連結されたミラーが開口部で回転することにより反射モードと透過モードとを切替える反射板２４が備わった本発明に係る液晶ディスプレイの断面構造を示す。５１はミラーであり、５５はミラー５１を連結する連結部である。図中に示された液晶パネル１１、開口部１２、非開口部１３、バックライト３１は図４で説明したものと同様の構成及び機能を有し、かつ図４と同様に配置される。
【００５９】
反射板２４は、少なくとも一部のミラー５１が互いに連結されており、反射板２４はミラー５１が開口部で回転する。反射板２４の具体例について図９を用いて説明する。図９は、反射板２４を液晶パネルの前面から見たときの構成を説明する図である。図９において、５１はミラー、５５は連結部、５８は駆動部である。反射板２４は、４個のミラー５１が、棒状の連結部５５にミラー５１の左端がそれぞれ固定されている。連結部５５の両端は駆動部５８と接続されている。駆動部５８はそれぞれ、駆動用の電極と接続されている。この４個のミラーが連結部５５により固定され、駆動部及び電極を備えたものが、３列備わっている。駆動部５８と接続されている電極はそれぞれ１つに接続されている。ミラー５１は、駆動部５８が駆動し、連結部５５が回転することにより、ミラー５１を回転する。
【００６０】
ミラー５１は、光を反射することのできるものである。例えばプラスチック基板にアルミニウムなどの金属を蒸着又は塗布して鏡面を形成したものでもよい。例えばアルミニウムなどの金属からなる微小な金属板であってもよい。ミラー５１の形状は、液晶パネル１１に備わる開口部の形状と同じ形状であってもよい。ミラー５１の面積は液晶パネル１１に備わる開口部の面積と同じであってもよい。電極などの液晶パネル１１の一部に影響がある場合は、開口部は異なる形状にしてもよいし、開口部よりも小さな面積にしてもよい。
【００６１】
駆動部５８は、１の軸を中心に回転可能なものである。例えばモータなどの備わった従来のものでよい。
反射板２４を備えた液晶ディスプレイの動作について図８を用いて説明する。図８（ａ）は反射モードでの本液晶ディスプレイの断面の一部である。反射モードでは、ミラー５１は開口部１２の背面に液晶パネル１１と平行に反射面を液晶パネル１１に向けて配置される。反射モードでは液晶パネル１１の前面から液晶パネル１１に入射する外光を光源として用いる。液晶パネル１１の前面から液晶パネルに入射する外光は、開口部１２から液晶パネル１１の背面へ透過される。液晶パネル１１の背面へ透過した外光はミラー５１で反射される。ミラー５１で反射された外光は開口部１２を透過して液晶パネル１１の前面から出射される。液晶パネル１１は、前述の図２で説明したように、液晶パネル１１の前面から出射される光によって映像を表示することができる。
【００６２】
図８（ｂ）は透過モードでの本液晶ディスプレイの断面の一部である。透過モードでは、ミラー５１は液晶ミラー５１の反射面が非開口部１３の背面に液晶パネル１１とは垂直に配置される。透過モードでは液晶ディスプレイに備わったバックライト３１を光源として用いる。バックライト３１は反射板２４の背面全体へバックライト光を供給する。反射板２４の背面全体へ供給されたバックライト光は反射板２４入射する。反射板２４へ入射したバックライト光はミラー５１が回転することによりできた導光部を通過して開口部１２へ入射する。開口部１２へ入射したバックライト光は開口部１２を透過して液晶パネル１１の前面へ出射される。液晶パネル１１は、前述の図２で説明したように、液晶パネル１１の前面から出射される光によって映像を表示することができる。
【００６３】
反射モードと透過モードとの切替えは、反射板２４に備わった連結部５５を中心に前記開口部でミラー５１を回転することにより行えばよい。例えば図９に示したように、駆動部５８により連結部５５を回転させてミラー５１を回転し、反射モードと透過モードとを切替えてもよい。ミラー５１の角度が０度のとき反射モードなり、ミラーの角度が９０度のとき透過モードになるとすれば、駆動部５８の回転角をこの２通りに設定可能にすることにより切替え可能になる。上記モードの切替えは、手動で行っても良いし、自動で行っても良い。
【００６４】
このように、反射板２４に備わるミラー５１を、反射モードにおいては開口部の背面に配置し、透過モードにおいては非開口部の背面へ配置する。このため反射板２４は、反射モードにおいては液晶パネルの前面からの光を効率よく反射し、透過モードにおいては液晶パネル背面からの光を効率よく液晶パネルへ透過させることができる。
【００６５】
なお、１の反射板に備わるミラーの数はいくつでもよい。図８では開口部１２及び非開口部１３は等しい幅で配置されているが、等しい幅でなくてもよい。例えば非開口部１３に比べて開口部１２が大きいときは、ミラー５１の面積を大きくすることにより、反射モードにおいて反射面の面積を大きくすることができる。これにより外光の利用効率を向上することができる。
【００６６】
また、反射モードと透過モードとを切り替えるためにミラー５１を回転する角度は何度でもよい。例えば９０度よりも少ない回転角で反射モードと透過モードとを切り替えることが可能であれば、回転角は小さくてもよい。回転角を小さくすることで、回転のための消費エネルギーを少なくすることができる。さらに、連結部５５を１のミラーに２箇所設け、窓に設置するブラインドシャッターの要領で回転させてもよい。
【００６７】
以上説明したように、複数のミラーを互いに連結し、連結したミラーを開口部で回転することにより、反射板は反射モードと透過モードとを切替える。複数のミラーが互いに連結されていることにより、各ミラーを回転するための駆動機構を少なくすることができる。したがって、簡易な構成で実現を可能とする、光源からの光の利用効率が高く、かつ液晶ディスプレイ周辺が暗いときにも明るいときにも視認性の高い液晶ディスプレイの提供が可能になる。
【００６８】
図１で説明した反射板２１は互いに独立した前記ミラーが静電誘導によって前記開口部で回転することにより前記反射モードと前記透過モードとを切替えることが好ましい。
本実施形態の反射板２５の一例を図１０に示す。図１０は、反射板２５を液晶パネルの前面から見たときの構成を説明する図である。図１０において、５１はミラー、５８は駆動部、５２は基板である。反射板２５は、ミラー５１が４×４個、１つの透明な基板５２の上に駆動部５８を介して固定されている。ミラー５１のそれぞれの左端に駆動部５８が固定されている。駆動部５８はそれぞれ、駆動用の電極が接続されている。基板上に固定されたミラー５１はそれぞれ、ミラーの左端に固定された駆動部５８が駆動することにより、駆動部５８を中心にして回転する。このような反射板に、ＤＭＤＴＭ（デジタル・マイクロミラー・デバイス）などのデバイスとして製品化されているものもある。
【００６９】
ミラー５１及び駆動部５８は前述の図９で説明したミラー５１と同様のものでもよい。基板５２は図３で説明した基板５２と同様のものでもよい。
電極用基板５３は、基板５２上に電極５４が配置された構成となっている。基板５２は図３で説明した反射板２２に備わる基板５２と同様のものでよい。電極５４は電気を通電することのできる従来のものでよい。電極用基板５３は、基板５２の表面や内部を選択的に通電可能にした従来のものでよい。例えばガラス基板に金属をプリントしたものやＩＴＯ基板がある。駆動部５８が光駆動のものであれば、光回路を用いてもよい。
【００７０】
本反射板を備えた液晶ディスプレイの動作は図８とほぼ同様である。すなわち、基板５２の上に備わった駆動部５８をそれぞれ駆動することにより開口部でミラー５１を回転し、反射モードと透過モードとを切替える。ミラー５１の角度が０度のとき反射モードなり、ミラーの角度が９０度のとき透過モードになるとすれば、駆動部５８の回転角をこの２通りに設定可能にすることにより切替え可能になる。上記モードの切替えは、手動で行っても良いし、自動で行っても良い。
【００７１】
反射板２５に備わるミラー５１を開口部で回転させて、反射モードにおいては開口部の背面に配置し、透過モードにおいては非開口部の背面へ配置する。このため反射板２５は、反射モードにおいては液晶パネルの前面からの光を効率よく反射し、透過モードにおいては液晶パネル背面からの光を効率よく液晶パネルへ透過させることができる。
【００７２】
なお、１の反射板に備わるミラーの数はいくつでもよい。図１０では反射モードのときのミラー同士の間隔はミラーの幅と等しく配置されているが、等しくなくてもよい。例えば非開口部に比べて開口部が大きいときは、ミラー５１の幅をミラー同士の間隔よりも大きくすることにより、反射モードにおいて反射する面の面積を大きくすることができる。これにより外光の利用効率を向上することができる。
【００７３】
また、反射モードと透過モードとを切り替えるためにミラー５１を回転する角度は何度でもよい。例えば９０度よりも少ない回転角で反射モードと透過モードとを切り替えることが可能であれば、回転角は小さくてもよい。回転角を小さくすることで、回転のための消費エネルギーを少なくすることができる。
【００７４】
さらに、反射モードと透過モードとの切替えは、次のように行ってもよい。本実施形態の液晶ディスプレイの一例を図１１に示す。図１１は図１に示した反射板２１に代えて、互いに独立した前記ミラーが静電誘導によって開口部で回転することにより前記反射モードと前記透過モードとを切替える反射板２５が備わった本発明に係る液晶ディスプレイの断面構造を示す。５１はミラーであり、５３は電極用基板、５４は電極、５８はミラー５１を駆動する駆動部である。
【００７５】
図中に示された液晶パネル１１、開口部１２、非開口部１３、バックライト３１は図４で説明したものと同様の構成及び機能を有し、かつ図４と同様に配置される。
反射板２５は、駆動部５８に固定されているミラー５１の１辺に対向する辺の一部に導電体が配置される。駆動部５８の一部に電極が配置される。また反射板２５の前面に、電極５４が配置された電極用基板５３を配置される。このとき駆動部５８は、モータなどの能動的な駆動機構を備えなくてもよい。
【００７６】
駆動部５８に配置された電極を通電させたとき、静電誘導によりミラー５１の一部に配置された導電体は隣り合う駆動部５８に引かれるため、ミラー５１は反射面を液晶パネル１１と平行になる。すなわち反射板２５を反射モードにすることができる。一方、電極５４を通電させたとき、静電誘導によりミラー５１の一部に配置された導電体は電極５４に引かれるため、ミラー５１の反射面は液晶パネル１１と垂直になる。すなわち反射板２５を透過モードにすることができる。このように、独立したミラー５１を静電誘導によって開口部で回転させることにより、反射モードと透過モードとを切替えることも可能である。
【００７７】
以上説明したように、互いに独立したミラーを静電誘導によって開口部で回転することにより、反射板は反射モードと透過モードとを切替える。ミラーを互いに独立させることで、ミラーを軽くし、消費電力の少ない静電誘導によってミラーを回転することができる。これにより、少ない消費電力で、液晶ディスプレイ周辺が暗いときには透過モードで表示し、液晶ディスプレイ周辺が明るいときには反射モードで表示することができる。したがって、少ない消費電力で実現を可能とする、光源からの光の利用効率が高く、かつ液晶ディスプレイ周辺が暗いときにも明るいときにも視認性の高い液晶ディスプレイの提供が可能になる。
【００７８】
また、前記反射板は画素ごとに備わったセル内を静電誘導によって開口部で移動することにより前記反射モードと前記透過モードとを切替えてもよい。すなわち、図６および７で説明した反射板と同様の構成にし、自由に回転なり移動なりできるようにしてもよい。
【００７９】
セルは、図７に示した基板５２と隔壁５７により形成されるものと同様のものでよい。このときセルを形成する基板５２及び隔壁５７は通電可能なものでもよい。この実施形態では、セル内の空間はミラー５１が回転することができる空間を設け、その中にミラー５１を固定しないで配置する。このときのミラー５１は、両面が反射面となっているものが好ましい。このときのミラー５１は導電性を有する。このときのミラー５１は導電性物質が四隅にコーティングされたものでもよい。
【００８０】
基板５２に通電したとき、ミラー５１は基板５２に引き寄せられて基板５２に張り付く。基板５２に張り付いたミラー５１の反射面は、液晶パネルと平行に配置される。これによって液晶パネル１１の前面から入射した光を液晶パネル前面へ反射することができる。また隔壁５７に通電したとき、ミラー５１は隔壁５７に引き寄せられて隔壁５７に張り付く。隔壁５７に張り付いたミラー５１は液晶パネルと垂直に配置される。これによって液晶パネル背面からの光を液晶パネル前面へ透過することができる。なお、ミラー５１は一部をセル内に固定されていてもよいし、固定されていなくてもよい。
【００８１】
なお、反射板２５は、１の反射板にミラーがいくつ備わっていてもよい。また図１１では開口部１２及び非開口部１３は等しい幅で配置されているが、等しい幅でなくてもよい。例えば非開口部１３に比べて開口部１２が大きいときは、ミラーの面積を大きくすることにより、反射モードにおいて外光の利用効率を向上することができる。
【００８２】
以上説明したように、互いに独立したミラーを静電誘導によって前記開口部で回転することにより、反射板は反射モードと透過モードとを切替える。ミラーを互いに独立させることで、ミラーを軽くし、消費電力の少ない静電誘導によってミラーを回転することができる。これにより、少ない消費電力で、液晶ディスプレイ周辺が暗いときには透過モードで表示し、液晶ディスプレイ周辺が明るいときには反射モードで表示することができる。したがって、少ない消費電力で実現を可能とする、光源からの光の利用効率が高く、かつ液晶ディスプレイ周辺が暗いときにも明るいときにも視認性の高い液晶ディスプレイの提供が可能になる。
【００８３】
また、本発明に係る液晶ディスプレイは、液晶パネルの周辺での明るさを検知する光センサーをさらに備え、反射板２１は、該光センサーの検知する光量が大きいときには前記反射モードに、該光量が小さいときには前記透過モードに切替えてもよい。
【００８４】
本発明に係る液晶ディスプレイの実施例を図１２に示す。図１２は本発明に係る液晶ディスプレイ９２の構成を説明する図である。１１は液晶パネルであり、２１は反射板であり、３１はバックライトであり、４１は光センサーである。液晶パネル１１、反射板２１はバックライト３１は図１で説明したものと同様の構成及び機能を有し、かつ図１と同様に配置される。
【００８５】
光センサー４１は、液晶パネルの前面に配置され、液晶パネル周辺の明るさを検知する。光センサー４１は明るさを検知することのできる従来のものでもよい。
反射板２１は、光センサー４１で検知した光量が一定値よりも大きいときは反射モードに切替え、該光量が一定値よりも小さいときは透過モードに切替える。反射板２１の形状及び機構は前述の反射板２２、２３、２４及び２５で説明したものを用いればよい。
【００８６】
液晶ディスプレイ９２の動作について説明する。光センサー４１は液晶パネル周辺の明るさを検知する。光センサー４１で検知された光量が一定値よりも大きいとき、反射板２１を反射モードに切替える。これと同時にバックライト３１は消灯する。反射モードでは液晶パネル１１の前面から液晶パネル１１の背面に入射する外光を光源として用いる。外光により液晶パネル１１で表示する動作は前述の図２で説明したとおりである。
【００８７】
光センサー４１で検知された光量が一定値よりも小さいとき、反射板２１を透過モードに切替える。これと同時にバックライト３１は点灯する。透過モードでは液晶ディスプレイに備わったバックライト３１を光源として用いる。バックライトからの光により液晶パネル１１で表示する動作は図２で説明したとおりである。
なお、光センサーの数は何箇所でも良い。複数箇所で明るさを検知することにより、より正確な明るさを検知することができる。
【００８８】
以上説明したように、光センサーを備えることにより、液晶ディスプレイ周辺の明るさに応じて自動で透過モードと反射モードとを切り替え、液晶ディスプレイの視認性を高くすることができる。したがって、光源からの光の利用効率が高く、かつ液晶ディスプレイ周辺が暗いときにも明るいときにも視認性の高い液晶ディスプレイの提供が可能になる。
【００８９】
また、本発明に係る液晶ディスプレイは、液晶パネルの前面での明るさを検知する第一の光センサーと、反射板の背面での明るさを検知する第二の光センサーと、をさらに備え、前記反射板は、該第一の光センサーの検知する光量に対する第二の光センサーの検知する光量の比が所定値よりも小さいときには前記反射モードに、該第二の光センサーの検知する光量に対する第一の光センサーの検知する光量の比が所定値のよりも大きいときには前記透過モードに切替えてもよい。
【００９０】
本発明に係る液晶ディスプレイの実施例を図１３に示す。図１３は液晶ディスプレイ９３の構成を説明する図である。１１は液晶パネルであり、２１は反射板であり、４１は第一の光センサーであり、４２は第二の光センサーであり、３１はバックライトである。液晶パネル１１、反射板２１、バックライト３１は図１で説明したものと同様の構成及び機能を有し、かつ図１と同様に配置される。第一の光センサーは液晶パネル前面に配置され、第二の光センサーは反射板２１の背面に配置される。
【００９１】
第一の光センサー４１は液晶パネル前面の明るさを検知する。第二の光センサー４２は反射板２１の背面の明るさを検知する。光センサー４１及び４２は、明るさを検知することのできる従来のものでもよい。
【００９２】
反射板２１は、光センサー４１で検知された光量に対する光センサー４２で検知された光量の比が所定値よりも小さいとき、反射板２１は反射モードに切替える。すなわち、液晶パネル１１の前面での明るさが反射板２１の背面での明るさよりも一定以上明るいときに反射板２１は反射モードに切替える。光センサー４１で検知された光量に対する光センサー４２で検知された光量の比が所定値よりも大きいとき、反射板２１は透過モードに切替える。すなわち、液晶パネル１１の前面での明るさが反射板２１の背面での明るさよりも一定以上暗いときに反射板２１は透過モードに切替える。反射板２１の形状及び機構は前述の反射板２２、２３、２４及び２５で説明したものを用いればよい。また反射モードと透過モードを切替える光量の比である所定値は限定しない。所定値は、めまぐるしく反射モードと透過モードとが切り替わらない程度の光量の比であればよい。
【００９３】
本液晶ディスプレイの動作について説明する。光センサー４１及び光センサー４２は、同時に明るさを検知する。光センサー４１で検知された光量に対する光センサー４２で検知された光量の比が所定値よりも小さいとき、反射板２１は反射モードに切替える。反射モードでは液晶パネルの前面から液晶パネルの背面に入射する外光を光源として用いる。外光により液晶パネル１１で表示する反射モードでの動作は図２で説明したとおりである。
【００９４】
光センサー４１で検知された光量に対する光センサー４２で検知された光量の比が所定値よりも大きいとき、反射板２１は透過モードに切替える。透過モードでは液晶パネル１１の背面から液晶パネル１１へ入射するバックライト光を光源として用いる。バックライトからの光により液晶パネル１１で表示する透過モードでの動作は図２で説明したとおりである。
【００９５】
なお、光センサーの数は何箇所でも良い。複数箇所で明るさを検知することにより、より正確な明るさを検知することができる。
【００９６】
以上説明したように、第一の光センサーと第二のセンサーとを備えることにより、外光の明るさとバックライトが発光する明るさとを比較して、液晶ディスプレイ周辺の明るさに応じて自動で透過モードと反射モードとを切り替え、液晶ディスプレイの視認性を高くすることができる。したがって、光源からの光の利用効率が高く、かつ液晶ディスプレイ周辺が暗いときにも明るいときにも視認性の高い液晶ディスプレイの提供が可能になる。
【産業上の利用可能性】
【００９７】
本発明に係る液晶ディスプレイは、外光の明るさの変化が激しく、バッテリーで駆動する携帯端末のみならず、机上設置のディスプレイや屋外設置のディスプレイとしても利用することができる。
【図面の簡単な説明】
【００９８】
【図１】液晶ディスプレイ９１の構成を説明する図である。
【図２】光源からの光が反射又は透過により液晶パネル１１の前面から放射される様子を説明する図である。
【図３】反射板２２を液晶パネルの前面から見たときの構成を説明する図である。
【図４】反射板２２を備える液晶ディスプレイの断面構造を説明する図である。
【図５】反射板２２を２層配置したときの液晶ディスプレイの断面構造を説明する図である。
【図６】反射板２３を液晶パネルの前面から見たときの構成を説明する図である。
【図７】反射板２３を横から見た構造を説明する図である。
【図８】反射板２４が備わった本発明に係る液晶ディスプレイの断面構造を示す。
【図９】反射板２４を液晶パネルの前面から見たときの構成を説明する図である。
【図１０】反射板２５を液晶パネルの前面から見たときの構成を説明する図である。
【図１１】反射板２５が備わった本発明に係る液晶ディスプレイの断面構造を示す。
【図１２】本発明に係る液晶ディスプレイ９２の構成を説明する図である。
【図１３】本発明に係る液晶ディスプレイ９３の構成を説明する図である。
【符号の説明】
【００９９】
１  外光
２  反射光
３  バックライト光
１１  液晶パネル
１２  開口部
１３  非開口部
２１、２２、２３、２４、２５  反射板
３１  バックライト
４１、４２  光センサー
５１  ミラー
５２  基板
５３  電極用基板
５４  電極
５５  連結部
５６  セル
６１  ガラス
６２  カラーフィルタ
６３  透明電極
６４  配光膜
６５  液晶
６６  スペーサ
９２、９３  液晶ディスプレイ
Ｌ、Ｒ  方向
【図１】
2005250063.tif 000003
【図２】
2005250063.tif 000004
【図３】
2005250063.tif 000005
【図４】
2005250063.tif 000006
【図５】
2005250063.tif 000007
【図６】
2005250063.tif 000008
【図７】
2005250063.tif 000009
【図８】
2005250063.tif 000010
【図９】
2005250063.tif 000011
【図１０】
2005250063.tif 000012
【図１１】
2005250063.tif 000013
【図１２】
2005250063.tif 000014
【図１３】
2005250063.tif 000015